【手続補正書】
【提出日】令和1年10月15日(2019.10.15)
【手続補正１】
【補正対象書類名】特許請求の範囲
【補正対象項目名】全文
【補正方法】変更
【補正の内容】
【特許請求の範囲】
【請求項１】
非磁性体の直管に複数の空芯コイルを４個以上通し、間隔を設け連結させ、直管内の先頭に磁性体を配置し複数の空芯コイルにより順次加速し通過させる直線型加速機であり、直管内の磁性体の形状は、円筒形もしくは多角長形体、又はそれらに近い形状であり、先頭部は空気抵抗の低減を考慮した形状である。空芯コイルの先頭位置に配置した磁性体は、先頭の空芯コイル対してコンデンサーにより蓄電された電力を放電することにより磁性体はコイルの中心方向に進む直線型加速機である。  空芯コイルの中心に到達した磁性体は、コンデンサーによる放電が完了または完了に使い状態であり、磁性体は止まることなく次の空芯コイルに向かう直線型加速機であり、以後複数の空芯コイルの先頭に到達した磁性体は順次スイッチングされ通電により加速される直線型加速機である。非磁性体の直管に連結された空芯コイルと空芯コイルの間の直管部には、空気抜き孔を設けた直線型加速器である。
【請求項２】
リング状の非磁性体管に複数の空芯コイルを等間隔で配置し、非磁性体管内には磁性体はバランスを考慮し等間隔で固定配置し、リング状の非磁性体管と空芯コイルとは間隔を設け、リング状の菅全体を回転させる円形加速機である。配置する空芯コイルの数は、リング状の管内に配置する磁性体の２倍以上の数とする円形加速機であり、リング状の管内には回転時バランス調整用の物質を挿入できる円形加速機である。リング状管内の他の空白部には必要に応じて物質を挿入できる円形加速機である。
【請求項３】
請求項１及び請求項２の複数の空芯コイルに供給する電力は、１コイル当たりの出力を増大させるため、大容量コンデンサーに蓄電した電力を急速放電させる加速機であり、瞬時において通過する磁性体がコイルの先頭位置にあるとき放電電流のピークがコイル長の前方２分の１以内に発生する加速機であり、コンデンサー蓄電方式により消費電力が低減できる加速機である。回路内電力は放電により低下するため電源の強制遮断による逆起電力の弊害が無い加速機であり、磁性体の加速によりコイル長の２分の１の長さの通過時間が短縮されるのに伴い、各コイルを駆動する電力も回路の時定数変更によりコイル長の２分の１の長さの通過時間に合わせる加速機であり、時定数変更した複数個のコイル電源を電源系統として、多数の電源系統を用いることにより各コイルに係る通電エラーと逆方向駆動を抑える加速機である。
【請求項４】
請求項１、請求項２、請求項３の空芯コイルの駆動は、磁性体の速度が一定速度以上になるとセンサー方式は電子回路の各部品特性により磁性体の速度に対し遅延するため、磁性体の位置計測と演算により瞬時に通電するコイルを選択する加速機であり、超高速域では一定周波数でコイルへ通電を行い、コイル長の後方２分の１に磁性体が到着したとき当該コイルに通電しない加速機である。磁性体の通過に伴う通電のタイミンングはマイクロコンピュターで行う加速機である。
【手続補正２】
【補正対象書類名】明細書
【補正対象項目名】全文
【補正方法】変更
【補正の内容】
【発明の詳細な説明】
【発明の名称】加速機
【技術分野】
【０００１】
本発明は、物体を移動させる新たな手段として利点があるので、新たな産業分野を開拓し社会に貢献できる。図１ａの非磁性体の真鍮管の直管７に複数個の空芯コイルは４個以上間隔を設けて連結させ、間隔部には空気抜き孔１１を設ける。図１ｂは、空芯コイル１，２と磁性体５の移動関係を示す。コイル１の先頭８に磁性体５の先頭６を合わせる。この状態でコイル１に直流で電力を与えるとコイルの中心磁力により磁性体はコイルの中心方向に移動する。磁性体の中心がコイルの中心１０に達したら通電を終了することにより磁性体は止まることなくコイル２に向かう。磁性体がコイル２の先頭に達したとき以降も同様とすることにより磁性体は加速される。
【０００２】
磁性体の形状は、円筒形又は多角長形体もしくはそれらに近く、空気抵抗減を考慮した形体とする。磁性体の長さは、おおよそ非磁性体管の直径の２倍以上でコイル長程度とする。
【０００３】
１個又は複数のコイルに供給する電力は、あらかじめ１個以上のコンデンサー類に蓄電しスイッチングする。図２ａは電源部の基本回路図でありダイオード、蓄電用コンデンサー、抵抗器、駆動コイル、スイッチで構成される。図２ｂはコイルに係る電流波形を示し、通過する磁性体の先頭がコイル２の先頭に達したとき電流のピークはコイル２の先頭から中央１２の間でコイル２の先頭又は先頭に近い位置で発生させる。
【０００４】
電源回路とセンサー回路の素子特性により、磁性体が一定速度に達すると通電タイミングの遅延が発生するため、センサー及びマイコンによる計測と演算により最適の位置で通電する加速機である。
【０００５】
図３ａは円形加速機の基本図であり、真鍮の円状管１３に空芯コイル１４，１５，１６を等間隔で配置し、図３ｂの１７は空芯コイルと円状管の間隔である。３個の磁性体１８は円状管内に等間隔で固定配置する。
【０００６】
図４は円形加速機の実際の配置図であり、円状管内の磁性体３個１９，２０，２１に対し空芯コイルは４倍の１２個２２〜３３を配置した例である。
【０００７】
円形加速機の初期駆動は、センサーによりあらかじめ円状管の磁性体位置を把握し、対応する通電コイル３個を確定し起動する。
【０００８】
起動後は、マイコンとセンサーにより磁性体の加速度を算出し通電する最適のコイル３個を選択する。
【０００９】
電源部のコンデンサー容量は、加速度及びスイッチングタイミングと相関関係にあるため、時定数を考慮した複数の電源系統の中から加速の変化に対応した電源を選択しコイルに通電する。
【００１０】
円形加速器は超高速回転に伴い電力供給が困難になるため、電力供給は実現できる最高速度で一定の周期で行い、時定数の短い高周波電源により通電するコイルを選択する。
【００１１】
円形加速機の一連の動作は瞬時であり、マイコンによる制御は回転する磁性体と各コイル及び加速度との関係をデータとして蓄積し演算及び制御される。
【図面の簡単な説明】
【００１２】
【図１】図１は直線型加速機の基本構造と動作を示した説明図である。
【図２】図２は加速機の電源部駆動回路の基本と電流のコイル波形を示した説明図である。
【図３】図３は円形加速機の基本構造と動作を示した説明図である。
【図４】図４は円形加速機の実際配置図と駆動方法を示した説明図である。
【発明を実施するための形態】
【００１３】
最少の部品と汎用技術で実現した。
【産業の利用可能性】
【００１４】
直線型及び円形型の加速機は、衝突型核融合炉の加速装置として利用するために発明したものであるが、物体の推進方法としては、従来の化学反応による爆発的推進から電磁力による新たな推進方法へと変換及び脱却ができること、大気に負担をかけず環境改善にも寄与できる方式でもあります。無音、無発光、無反動でありロッケトなど高速発進を必要とする機器類の推進装置としても利用できる。
また、円形加速器は、低周波から極超短波までの電磁波を大出力で発生させることができ、マイクロ波帯域では熱照射機として利用でき、電磁波送電装置など多くの可能性がある。さらに物理の研究装置として利用できる。
【手続補正３】
【補正対象書類名】図面
【補正対象項目名】全図
【補正方法】変更
【補正の内容】
【図１】
2018137986.tif 000001
【図２】
2018137986.tif 000002
【図３】
2018137986.tif 000003
【図４】
2018137986.tif 000004